(57)【特許請求の範囲】
【請求項１】
水溶性脂肪酸アルカリ塩および／または一般式
【化１】
0003578807.tif 000006
を有するアルキル燐酸エステルのアルカリ塩
（式中、ＲはＣ８〜Ｃ２２のアルキル基またはアルケニル基であり、Ｍは水素、アルカリ金属、アミンまたはアルカノールアミンであり、ｍは１〜２の整数であり、ｎは０〜８の整数である。）
を主成分として含むポリアルキレンテレフタレート容器用潤滑剤組成物において、前記組成物にさらに、ロジンのエステル化物を含有せしめて、前記ポリアルキレンテレフタレート容器のストレスクラックを防止ないしは抑制することを特徴とする潤滑剤組成物。
【請求項２】
一般式
【化２】
0003578807.tif 000007
を有するアルキル燐酸エステルのアルカリ塩
（式中、ＲはＣ８〜Ｃ２２のアルキル基またはアルケニル基であり、Ｍは水素、アルカリ金属、アミンまたはアルカノールアミンであり、ｍは１〜２の整数であり、ｎは０〜８の整数である。）
を主成分として含むポリアルキレンテレフタレート容器用潤滑剤組成物において、前記組成物にさらに、ロジンのエステル化物および殺菌性陽イオン界面活性剤の両方を併せて含有せしめて、前記ポリアルキレンテレフタレート容器のストレスクラックを防止ないしは抑制するとともに、殺菌力をも保持することを特徴とする潤滑剤組成物。
【請求項３】
前記ロジンのエステル化物が生松脂からテレピン油を留去して得られるガムロジンのポリオキシエチレンエステルである請求項１または２の潤滑剤組成物。
【請求項４】
前記ロジンのエステル化物が松根チップから溶剤抽出して得られるウッドロジンのポリオキシエチレンエステルである請求項１または２の潤滑剤組成物。
【請求項５】
前記ロジンのエステル化物が粗トール油から精密分溜して得られるトールロジンのポリオキシエチレンエステルである請求項１または２の潤滑剤組成物。
【請求項６】
上記ポリオキシエチレンが６〜30モルである請求項３、４または５の潤滑剤組成物。
【請求項７】
前記ロジンのエステル化物の含有量が組成物中の水溶性脂肪酸アルカリ塩および／またはアルキル燐酸エステルのアルカリ塩１重量部に対して少なくても0.1重量部である請求項１または２の潤滑剤組成物。
【請求項８】
請求項２の殺菌性陽イオン界面活性剤の含有量が組成物中のアルキル燐酸エステルのアルカリ塩１重量部に対して0.5〜3.0重量部である請求項２の潤滑剤組成物。
【請求項９】
請求項２の殺菌性陽イオン界面活性剤が殺菌性第四級アンモニウム型カチオン界面活性剤である請求項２の潤滑剤組成物。
【発明の詳細な説明】
【０００１】
【産業上の利用分野】
本発明は、ポリアルキレンテレフタレート容器に例えば炭酸清涼飲料等を詰め込む工程におけるボトルコンベアの潤滑剤として利用される組成物に係り、特に、潤滑性を維持しながらポリアルキレンテレフタレート容器のストレスクラックを防止ないしは抑制し得、さらにはこのストレスクラック防止ないしは抑制に加えて、殺菌力をも保持するポリアルキレンテレフタレート容器用潤滑剤組成物に関する。
【０００２】
【従来の技術】
近年、炭酸清涼飲料等の炭酸水の容器として、ポリエチレンテレフタレート（ＰＥＴ）等からなるポリアルキレンテレフタレート容器（ＰＥＴボトル）が使用されている。さらに、これらの容器への前記炭酸水の充填工程等では、容器の移動のためにボトルコンベアが利用されている。
【０００３】
これらボトルコンベアは自動制御により連続運転されており、このためＰＥＴボトルの流れが停止されてもボトルコンベアのみがそのまま連続して運転されることになり、この場合にはＰＥＴボトルと、コンベア表面との動摩擦力を低下させる必要がある。また、洗浄機から運ばれてきたＰＥＴボトルをそのままボトルコンベアの流れに乗せるためにはコンベア表面に適当な静摩擦力も要求される。
【０００４】
これらの必要性を満たす潤滑剤として従来、水溶性脂肪酸アルカリ塩を主成分とし、これに必要に応じて、非イオン界面活性剤等、界面活性剤の含有された潤滑剤組成物が知られている。これは水で稀釈して、ボトルコンベア上に塗布等の手段により供給することにより使用に供されていた。
【０００５】
さらに、従来、アルキル燐酸エステルのアルカリ塩に殺菌性陽イオン界面活性剤を併用せしめた殺菌性潤滑剤組成物も知られている。（特公平４−６７５６）
【０００６】
【発明が解決しようとする問題点】
前者の潤滑剤は上述の要件を満たした潤滑性は保持するものの、ＰＥＴボトルに付着すると、ボトル内部が炭酸ガスにより加圧状態になっていて、ストレスがかかっているため、ＰＥＴボトルにストレスクラックを発生させてしまい、このため、ＰＥＴボトルはボトルの破損の危険性と、ボトル内部に充填された飲料液のリークの危険性を余儀なくされてしまう。
【０００７】
さらに、後者の潤滑剤もまた、上述の要件を満たした潤滑性を保持するのみならず、殺菌性をも保持するものの、前者と同様、ＰＥＴボトルに付着するとクラックを発生させる。
【０００８】
本出願人は前後者共通に存する上述の欠点を取り除いた発明として、水溶性脂肪酸アルカリ塩を主成分としてなる潤滑剤に特定の構造式を有するアルキルジフエニルエーテルジスルホン酸塩を含有せしめた潤滑剤組成物を既に開発し、特願平４−３５１５７９号として出願中である。
【０００９】
本発明は上述先願発明をさらに改良し、前述アルキルジフエニルエーテルジスルホン酸塩の代りに新しい有効成分を用いてなるものである。
【００１０】
すなわち、本発明の目的は、ＰＥＴボトルに例えば炭酸清涼飲料を詰め込む工程におけるボトルコンベアの潤滑剤として利用して潤滑性を維持しながらＰＥＴボトルのストレスクラックを防止ないしは抑制し得、前述の公知技術に存する欠点を改良したポリアルキレンテレフタレート容器用潤滑剤組成物を提供することにある。
【００１１】
さらに、本発明の他の目的は上述の潤滑性を維持しながらＰＥＴボトルのストレスクラックを防止ないしは抑制し得るとともに、殺菌力をも保存する前述の公知技術に存する欠点を改良したポリアルキレンテレフタレート容器用潤滑剤組成物を提供することにある。
【００１２】
【問題点を解決するための手段】
前述の目的を達成するため、本発明によれば、水溶性脂肪酸アルカリ塩および／または一般式
【化３】
0003578807.tif 000002
を有するアルキル燐酸エステルのアルカリ塩
（式中、ＲはＣ８〜Ｃ２２のアルキル基またはアルケニル基であり、Ｍは水素、アルカリ金属、アミンまたはアルカノールアミンであり、ｍは１〜２の整数であり、ｎは１〜８の整数である。）
を主成分として含むポリアルキレンテレフタレート容器用潤滑剤組成物において、前記組成物にさらに、ロジンのエステル化物を含有せしめて、前記ポリアルキレンテレフタレート容器のストレスクラックを防止ないしは抑制することを特徴とする。
【００１３】
前述の他の目的を達成するため、本発明によれば、上記一般式を有するアルキル燐酸エステルのアルカリ塩を主成分として含むポリアルキレンテレフタレート容器用潤滑剤組成物において、前記組成物にさらに、ロジンのエステル化物および殺菌性陽イオン界面活性剤を併せて含有せしめて、前記ポリアルキレンテレフタレート容器のストレスクラックを防止ないしは抑制するとともに殺菌力をも保有せしめることを特徴とする。
【００１４】
【発明の具体的説明】
以下、本発明を具体的に詳述する。
上述のロジンエステル化物は具体的には、松樹中の生松脂からテレピン油を留去して得られるガムロジン、松根チップからベンゼン、アルコール等の溶剤によりロジン分を抽出の後、溶剤を留去して得られるウッドロジン、粗トール油から精密蒸留塔により減圧水蒸気蒸留して得られるトールロジン等の各種ロジンをそれぞれ、ポリオキシエチレンと脱水縮合して得られるＥＯ６〜３０モル（エチレンオキシドのモル数）のポリオキシエチレンエステルである。なお、これらロジンの主成分はアビエチン酸であって、その他にネオアビエチン酸、デヒドロアビエチン酸、ピマール酸、イソピマール酸、パラストリン酸等の有機酸の一種または複数種を含有する。
【００１５】
また、上述の殺菌性陽イオン界面活性剤は殺菌性第四アンモニウム型カチオン界面活性剤であって、具体的には、アルキルジメチルベンジルアンモニウムクロライド、アルキルトリメチルアンモニウムクロライド、アルキルピリジウムクロライド、ジアルキルジメチルアンモニウムクロライド等が挙げられる。これら化合物のアルキル基は任意の炭素数のものであるが、特に炭素数１２前後の長鎖アルキル基が好ましい。
【００１６】
上述ロジンエステル化物の含有量は組成物中の水溶性脂肪酸アルカリ塩および／またはアルキル燐酸エステルのアルカリ塩１重量部に対して少なくとも０．１重量部、好ましくは０．１〜１．５重量部である。この量が０．１重量部より少ないと、ＰＥＴ容器に対するストレスクラックの防止ないしは抑制効果がやや不充分となり、また、１．５重量部、特に２重量部よりも多いと、潤滑性能が多少低下することも考えられる。
【００１７】
また、上述殺菌性陽イオン界面活性剤の含有量は所望の任意量であるが、少量になると殺菌力が低くなり、また、多くなると潤滑性やクレージング性に影響を与える。この好ましい含有量は組成物中のアルキル燐酸エステルのアルカリ塩１重量部に対して、０．５〜３．０重量部、より好ましくは０．７〜２．０重量部である。
【００１８】
本発明に用いられる上述の水溶性脂肪酸アルカリ塩は通常の潤滑剤組成物に用いられる潤滑性能を発揮する物質であって、炭素数８〜２２の飽和または不飽和脂肪酸、これら脂肪酸のアルキル基を有するエーテルカルボン酸またはこれら脂肪酸のアルキル基を有するエチレンオキシド付加エーテルカルボン酸のそれぞれ、ナトリウム塩、カリウム塩、アンモニウム塩、またはトリエタノールアミン等のアルカノールアミン塩等である。上述の炭素数８〜２２の飽和または不飽和脂肪酸は飽和脂肪酸を主成分とするヤシ油脂肪酸、ラウリン酸、不飽和脂肪酸を主成分とするオレイン酸、または飽和および不飽和脂肪酸の混合物である牛脂肪酸である。また、上述エチレンオキシドの付加は１〜５モル量が好ましい。この範囲でのエチレンオキシド付加エーテルカルボン酸は溶解性が向上され、硬水に対して影響を受けにくく、かつ潤滑性の低下もみられない。これらのアルカリ塩は本発明において、単独で、また複数種組み合わせて用いられる。
【００１９】
さらに、本発明に用いられる一般式
【化４】
0003578807.tif 000003
（式中、ＲはＣ８〜Ｃ２２のアルキル基またはアルケニル基であり、Ｍは水素、アルカリ金属、アミンまたはアルカノールアミンであり、ｍは１〜２の整数であり、ｎは１〜８の整数である。）
を有するアルキル燐酸エステルのアルカリ塩は具体的には、ラウリン酸ジナトリウム（ｎ：０）、ポリオキシエチレン（ｎ：２）ステアリルエーテルリン酸トリエチルアミン、ポリオキシエチレン（ｎ：２）カプリルエーテルリン酸モルフオリン、ポリオキシエチレン（ｎ：８）ラウリルエーテルリン酸ナトリウム、ジ（オキシエチレンラウリルエーテル）リン酸モノエタノールアミン等が挙げられる。
【００２０】
上述の本発明潤滑剤組成物はさらに、非イオン界面活性剤等の界面活性剤を含有してもよい。これはコンベア上に潤滑剤成分を均一に付着させたり、また、水溶性脂肪酸アルカリ塩中の不純分としての水不溶性成分によるコンベア上の汚れを除去するものである。この種の好ましい具体例としては、脂肪酸アルカノールアミド、ポリオキシエチレン脂肪酸エステル、多価アルコール脂肪酸エステル、ポリプロピレングリコールエチレンオキサイド付加物、ポリオキシエチレンアルキルエーテル、ポリオキシエチレンアルキルフエニルエーテル、プロピレンオキサイド・エチレンオキサイド共重合物等の非イオン界面活性剤が挙げられる。
【００２１】
この配合量は上述の利点を発揮させるに充分な任意の適当量であるが、好ましくは、前述の水溶性脂肪酸アルカリ塩および／またはアルキル燐酸エステルのアルカリ塩１重量部に対して、０．２〜１重量部である。
【００２２】
このようにして得られる本発明にかかる潤滑剤組成物はｐＨ６〜１０に調整し、かつ必要に応じてキレート剤、可溶化剤、消泡剤等を添加、混合し、水で適宜の希釈倍数、例えば１００倍〜２００倍に希釈してボトルコンベア表面に塗布することにより使用に供される。
【００２３】
【作用】
上述の本発明にかかる潤滑剤組成物は水溶性脂肪酸アルカリ塩成分および／またはアルキル燐酸エステルのアルカリ塩成分の作用により潤滑性を付与し、また、必要に応じて界面活性剤成分の作用により、コンベア上に潤滑剤成分を均一に付着し、かつ水溶性脂肪酸アルカリ塩に含まれる不純分としての水不溶性成分によりコンベア上の汚れを除去する。
【００２４】
一方、これらの成分はいずれも、ＰＥＴ容器へのストレスクラックの発生要因となる物質である。これに対して、本発明に用いられる上述のロジンのエステル化物はＰＥＴ材料のストレスクラックを未然に防止し得、このため、本発明にかかる潤滑剤組成物はボトルコンベアの潤滑性を維持しながら、ＰＥＴ容器のストレスクラックを防止ないしは抑制することができる。
【００２５】
さらに、本発明は殺菌性陽イオン界面活性剤を併用することにより、上述のストレスクラックの防止ないしは抑制に加えて殺菌力をも保有する。
【００２６】
【発明の実施例】
以下、本発明を実施例によりさらに具体的に述べる。
【００２７】
〔実施例〕
表１に示す各配合の試料１乃至１９を純分換算で１００重量部に調整して供試試料とした。これら各供試試料についてストレスクラック試験、潤滑性試験ならびに殺菌力試験を行い、結果を同じく表１に示した。これらの試験は次のようにして行った。
【００２８】
〔ストレスクラック試験〕
ＰＥＴ容器に炭酸水を充填して４．０〜４．５ガスＶｏｌ  の圧力（容器容量の４．０〜４．５倍量の炭酸ガス圧力）に調整し、試験用ＰＥＴ容器とした。次いで、表１の各供試試料を水で１００倍に希釈し、この中に前述の試験用ＰＥＴ容器を半浸漬の状態で浸漬し、４０℃、８０％湿度の条件下に１０日間放置した後、前記ＰＥＴ容器へのクラックの発生状態を目視観察して評価を行う。評価基準は次のとおりである。
Ａ：クラック発生が完全ないしはほとんどなし。
Ｂ：小さなクラックがわずかにあるが、ほとんどなしに等しい。
Ｃ：多少大きめのクラックが見受けられるが、実用可能。
Ｄ：大きめのクラックが多数あって、実用不可。
【００２９】
〔潤滑性試験〕
（１）テストコンベア条件
コンベア速度：３０〜９０ｃｍ／秒
テストボトル：上述の試験用ＰＥＴ容器１本（重量１６１０ｇ）
【００３０】
（２）試験方法
ステンレス製コンベアプレート上に試験用ＰＥＴ容器を置き、次いで、このコンベアプレート上に表１の各供試試料の１００倍または２００倍水希釈液をそれぞれ、２５ｍｌ／分で供給したときの１０分後の摩擦係数（μ）を測定し、各試料の潤滑性を評価する。
【００３１】
摩擦係数は算定式
【数１】
0003578807.tif 000004
を用いて計算する。
【００３２】
評価基準は次のとおりである。
Ａ：    ０．１２以下、非常に滑る。
Ｂ：  〜０．１４        問題なく滑る
Ｃ：  〜０．１６    潤滑不足
【００３３】
〔殺菌力試験〕
厚生省編、消毒薬検査指針に準拠して実施した。すなわち、表の各試料を減菌水を用いて２００倍に希釈した。これらの希釈液に大腸菌、緑膿菌、黄色ブドウ球菌の混合菌液を加え、２０℃で２分３０秒間混合した後、その１白金耳量を普通ブイヨン培地に接種した。３７℃、４８時間培養し、菌の繁殖の有無により、各試料の殺菌性を判断した。
【００３４】
評価基準は次のとおりである。
〇：  殺菌力がある。（菌の繁殖なし）
×：  殺菌力がない。（菌の繁殖あり）
【００３５】
【表１】
0003578807.tif 000005
【００３６】
表１から明らかなように、ロジンのエステル化物を含まない試料  ＮＯ．１、８〜１０、１８は、ストレスクラック評価が悪くて実用に供し得ない。これに対して、水溶性脂肪酸アルカリ塩および／またはアルキル燐酸エステルアルカリ塩１重量部に対して、ロジンのエステル化物が０．１  重量部以上添加された試料  Ｎｏ．３〜７、１１、１３〜１７、１９、特に試料ＮＯ．４〜５、１１、１４〜１５では、いずれも、ストレスクラック評価、潤滑性評価ともにＡランクであり、良好な結果を示した。なお、ロジンエステル化物が０．１重量部以下の試料ＮＯ．２および１２では、ストレスクラック評価がやや悪く、また、１．５重量部以上の試料ＮＯ．６、１６では潤滑性評価がやや悪いが、いずれも実用上は問題がない。さらに、殺菌性第四アンモニウム型カチオン界面活性剤を含む試料  ＮＯ．１０、および１２〜１７では、いずれも殺菌力を保有している。
【００３７】
【発明の効果】
以上のとおり、本発明にかかる潤滑剤組成物は水溶性脂肪酸アルカリ塩および／またはアルキル燐酸エステルアルカリ塩を主成分とする潤滑剤組成物にさらに、ロジンのエステル化物を含有せしめることにより、潤滑性を維持しながらＰＥＴ容器のストレスクラックを防止ないしは抑制し得、さらに、アルキル燐酸エステルアルカリ塩を主成分とする潤滑剤組成物にロジンのエステル化剤および殺菌性陽イオン界面活性剤を併用することにより殺菌力を保有し、したがって、ＰＥＴ容器に例えば、炭酸清涼飲料等を詰め込む工程におけるボトルコンベアの潤滑剤としての利用に最適であり、実用上有用な発明である。